(57)【特許請求の範囲】
【請求項１】
ガスボンベのガスボンベ口を封止している封止板を突き破ることで、開封するガスボンベ開封装置であって、
前記ガスボンベが螺合して取り付けられるハウジングと、
一端が保持端部をなし、該保持端部に対向する他端がアーム揺動端部をなして、前記保持端部と前記アーム揺動端部との間の領域に折れ曲がった折曲部が形成され、かつ、該折曲部においてアームピンにより前記ハウジングに対して傾動自在に軸止されて、前記ガスボンベを開封する際に前記アームピンを傾動軸として傾動するアームと、
一端が刃揺動端部をなし、該刃揺動端部に対向する他端が刃先端部をなして、前記アーム揺動端部と前記刃揺動端部とが開封刃ピンによって揺動自在に軸止された開封刃と、
前記ガスボンベ口に近接する位置の前記ハウジングに装着されて、前記アームが傾動した際に前記刃先端部を前記刃揺動端部の揺動方向と逆方向に揺動させる揺動方向規制部材と、を備え、
前記アームピンの中心を通る前記封止板に垂直な垂線を基準線とした際に、非開封時における前記開封刃ピンは、前記基準線に対して前記保持端部に近い近保持端部側の位置に設けられていることを特徴とするガスボンベ開封装置。
【請求項２】
請求項１に記載のガスボンベ開封装置であって、
前記揺動方向規制部材は、前記基準線に対して前記保持端部から離れた遠保持端部側位置に位置することを特徴とするガスボンベ開封装置。
【請求項３】
請求項１又は２に記載のガスボンベ開封装置であって、
前記アームは、板金加工して形成されていることを特徴とするガスボンベ開封装置。
【請求項４】
請求項１乃至３のいずれか１項に記載のガスボンベ開封装置であって、
前記ガスボンベの非開封時にあっては、前記保持端部を係止して当該アームを概ね水平状態に保持する保持部材と、
前記ガスボンベの開封時にあっては、前記保持部材を切断する切断器と、を備えることを特徴とするガスボンベ開封装置。
【発明の詳細な説明】
【技術分野】
【０００１】
本発明は、ガスボンベ開封装置に関する。
【背景技術】
【０００２】
ガスボンベを開封するガスボンベ開封装置の開封には、種々の提案がなされている。
【０００３】
例えば、実開平７−１１５９７号公報には、図８に示すようなガスボンベ開封装置が提案されている。なお、図８（ａ）は、当該ガスボンベ開封装置の側面図、図８（ｂ）はピストンの斜視図である。
【０００４】
このガスボンベ開封装置は、ばね１１２により回転力（回転方向ａ）の付与されたレバー１０９が保持材１１３によりほぼ水平に保持された構成である。
そして、ガスボンベ１０１を開封する際には、発熱体１４９に通電を行うことにより、保持材１１３を焼き切る。
これによりレバー１０９が傾動して、当該レバー１０９に設けられているカム１１０がピストン１０４を押す。
ピストン１０４は円筒状のガイド１０３の内壁に沿って、ガスボンベ１０１側に移動し、ピストン１０４に固定された中空の針１０５がガスボンベ１０１の封止板を破る。
【０００５】
中空の針１０５は、スプリングピン等の中空円筒の先端を斜めにカットして形成された先端部１０８、この先端部と連通して側部に設けられたスリット１０６、先端部１０８に連通した通気穴１０７を備えて、ピストン１０４に装着されている。
これにより中空の針１０５がガスボンベ１０１の口を塞いでいる封止板（図示しない）を貫通すると、ガスボンベ１０１のガスは、スリット１０６及び通気穴１０７を介して吐出する。
針１０５の内径は小さく、ガスボンベ１０１のガスが通気穴１０７からのみ吐出する場合には、吐出流量を大きくすることが困難である。そこで、スリット１０６を設けて単位時間当たりの吐出流量の増大を図っている。
【先行技術文献】
【特許文献】
【０００６】
【特許文献１】実開平７−１１５９７号公報
【発明の概要】
【発明が解決しようとする課題】
【０００７】
しかしながら実開平７−１１５９７号公報にかかるガスボンベ開封装置では、部品点数が多く、かつ、複雑な加工を要する部品が用いられているため、製造コストがかさむ問題がある。複雑な加工を要する部品として、例えば中空の針１０５が挙げられる。この針１０５は、細いチューブにスリットを設けた構成であるため、高価なチューブにスリットの形成費用が加わって製造コストが高くなってしまう。
【０００８】
また、スリットを設けて吐出流量を単位時間当たりの吐出流量の増大を図っても、基本的に針１０５が封止板に刺さった状態でガスが吐出される構成であるため、細い針の場合には大幅に短時間当たりの吐出量を増大させることが困難である。
【０００９】
そこで、本発明の主目的は、安価な構成で、単位時間当たりの吐出量を増大させることが可能なガスボンベ開封装置を提供することである。
【課題を解決するための手段】
【００１０】
上記課題を解決するため、ガスボンベのガスボンベ口を封止している封止板を突き破ることで、開封するガスボンベ開封装置にかかる発明は、ガスボンベが螺合して取り付けられるハウジングと、一端が保持端部をなし、該保持端部に対向する他端がアーム揺動端部をなして、折れ曲がった折曲部を有し、かつ、折曲部においてアームピンによりハウジングに傾動自在に軸止されて、ガスボンベを開封する際にアームピンを傾動軸として傾動するアームと、一端が刃揺動端部をなし、該刃揺動端部に対向する他端が刃先端部をなして、アーム揺動端部と刃揺動端部とが開封刃ピンによって揺動自在に軸止された開封刃と、ガスボンベ口に近接してハウジングに装着されて、アームが傾動した際に刃先端部を刃揺動端部と逆方向に揺動させる揺動方向規制部材と、を備え、アームピンの中心を通り、かつ、封止板に垂直な垂線を基準線とした際に、非開封時における開封刃ピンは保持端部に近い近保持端部側位置に位置することを特徴とする。
【発明の効果】
【００１１】
本発明によれば、アームを板金加工して形成し、このアームの動きに応動して開封刃が封止板を突き刺し、かつ、切り開くので、安価な構成で、単位時間当たりの吐出量を増大させることが可能になる。
【図面の簡単な説明】
【００１２】
【図１】本実施形態にかかるガスボンベ開封装置の側面図である。
【図２】ガスボンベ開封装置の開封機構を説明する部分斜視図である。
【図３】ガスボンベ開封装置の開封機構の分解斜視図である。
【図４】開封作動を説明する図で、（ａ）は開封動作開始直前のガスボンベ開封装置の側面図、（ｂ）は開封動作開始直前における開封刃の拡大図である。
【図５】開封作動を説明する図で、（ａ）は開封動作中のガスボンベ開封装置の側面図、（ｂ）は開封動作中における開封刃の拡大図である。
【図６】開封作動を説明する図で、（ａ）は開封動作終了直前のガスボンベ開封装置の側面図、（ｂ）は開封動作終了直前における開封刃の拡大図である。
【図７】関連技術の説明に適用されるガスボンベ開封装置の構成を示す図で、（ａ）は、当該ガスボンベ開封装置の側面図、（ｂ）はピストンの斜視図である。
【発明を実施するための形態】
【００１３】
本発明の実施形態を説明する。ガスボンベ４は高圧のガスが封入され、その口（ガスボンベ口４ａ）は封止板４ｂにより封止されている。従って、ガスを吐出させるためには、封止板４ｂを切り裂く等により開口しなければならない。この封止板４ｂを開ける装置が、ガスボンベ開封装置である。
図１は、本実施形態にかかるガスボンベ開封装置２の側面図である。
また、図２はガスボンベ開封装置２の開封機構を説明する部分斜視図であり、図３はその分解斜視図である。
【００１４】
ガスボンベ開封装置２は、ハウジング１１、アーム１２、開封刃１３、揺動方向規制部材１４、バネ１５、保持部材１６、切断器１７を備える。
【００１５】
ハウジング１１は筐体７内に固着された凹部（ハウジング凹部）１１ａを備える部材で、底部（ハウジング底部）１１ｂにガスボンベ４のガスボンベ口４ａが螺合して取り付けられるようになっている。
【００１６】
アーム１２は、ハウジング凹部１１ａに挿着されてアームピン１２ａにより傾動自在に支持された板金部材である。
このアーム１２の一端が保持端部１２ｂ、該保持端部１２ｂに対向する他端がアーム揺動端部１２ｃである折れ曲がった部材である。この折れ曲がった領域を折曲部１２ｄと記載する。なお、折れ曲がったとは、力を加えて曲げたという意味ではなく、側面形状において曲がっている状態を言う。
そして、折曲部１２ｄは、アームピン１２ａによりハウジング１１に傾動自在に軸止されている。
【００１７】
開封刃１３は、一端が刃揺動端部１３ａをなし、該刃揺動端部１３ａに対向する他端が刃先端部１３ｂをなす板状部材である。なお、刃先端部１３ｂには刃が設けられている。
そして、アーム揺動端部１２ｃと前記刃揺動端部１３ａとは開封刃ピン１３ｃによって揺動自在に軸止されている。
【００１８】
揺動方向規制部材１４は、ハウジング１１に挿着された棒状部材である。そして、封止板４ｂの近傍位置で、封止板４ｂの板面と平行、かつ、開封刃１３の板面と垂直に設けられている。
【００１９】
さて、アームピン１２ａの中心を通り、かつ、封止板４ｂに垂直な垂線を基準線Ｋとする。このとき非開封時における、アームピン１２ａ、開封刃ピン１３ｃ、揺動方向規制部材１４の取り付け位置には、以下のような関係がある。ここで、基準線Ｋに対して保持端部１２ｂに近い位置を近保持端部側位置、保持端部１２ｂより遠い位置を遠保持端部側位置と記載する。このとき、揺動方向規制部材１４は遠保持端部側位置に設けられ、開封刃ピン１３ｃは近保持端部側位置に設けられている。このこのように設けた理由については、後述する動作説明において行う。
【００２０】
バネ１５の一端は、保持端部１２ｂとアームピン１２ａとの間に係止され、他端は筐体７のベース７ａに係止されている。そして、バネ１５は、非開封時には伸張状態となって、アーム１２がアームピン１２ａを傾動軸としてベース７ａ側に付勢されている。
【００２１】
保持部材１６は、非開封時にアーム１２の保持端部１２ｂを係止する部材である。また、切断器１７は、保持部材１６を切断する機器である。
【００２２】
次に、このようなガスボンベ開封装置２の開封動作を説明する。
図４〜図６は開封作動を説明する図である。図４（ａ）は開封動作開始直前のガスボンベ開封装置２の側面図、図４（ｂ）は開封動作開始直前における開封刃１３の拡大図である。図５（ａ）は開封動作中のガスボンベ開封装置２の側面図、図５（ｂ）は開封動作中における開封刃１３の拡大図である。図６（ａ）は開封動作終了直前のガスボンベ開封装置２の側面図、図６（ｂ）は開封動作終了直前における開封刃１３の拡大図である。
【００２３】
図４に示す開封動作開始直前の状態では、バネ１５がアーム１２をベース７ａ側に付勢している。また、保持部材１６は保持端部１２ｂを係止して、アーム１２を概ね水平状態に保持している。このとき、開封刃１３の刃先１３ｄは、封止板４ｂに接していないが極めて近接し、かつ、基準線Ｋより遠保持端部側位置に位置している。
【００２４】
この状態から、切断器１７が保持部材１６を切断すると、アーム１２はバネ１５の力によりアームピン１２ａを傾動軸として矢印Ｄ１の傾動する（図５参照）。このときアーム揺動端部１２ｃはアームピン１２ａを中心として封止板４ｂの方向に凸の円軌跡（図５や図６における点線円）を描く。
【００２５】
アーム揺動端部１２ｃには開封刃ピン１３ｃにより開封刃１３が軸止めされているので、このアーム揺動端部１２ｃの揺動に応じて刃揺動端部１３ａもアーム揺動端部１２ｃと同じ方向に動く。
【００２６】
非開封時には開封刃ピン１３ｃは、基準線Ｋに対して近保持端部側に位置している。従って、アーム１２の傾動動作は、開封刃ピン１３ｃの下降動作（封止板４ｂ側に動く）に変換される。即ち、開封刃ピン１３ｃが下降すると、開封刃１３は下降する。
【００２７】
図５に示すように、非開封時には、開封刃１３の刃先１３ｄは封止板４ｂに接近した位置にあるので、開封刃１３が下降すると、刃先１３ｄは封止板４ｂに突き刺ささり開口（吐出口）が形成される。
【００２８】
刃先１３ｄが封止板４ｂに突き刺さった状態は、吐出口は刃先１３ｄで塞がれた状態である。この状態から、さらにアーム１２が傾動すると、アーム揺動端部１２ｃは下降動作から上昇動作に転じる。アーム揺動端部１２ｃが上昇すると、開封刃１３は封止板４ｂから抜ける。これにより吐出口が開放されて、ガスボンベ４のガスが吐出できるようになる。
【００２９】
ところで、この状態では、吐出口の真上に開封刃１３が位置しているので、吐出ガスが開封刃１３に吹き当たってしまい、吐出量を多くすることが困難である。
【００３０】
また、封止板４ｂに開封刃１３が突き刺さっただけでは、吐出口の面積は開封刃１３の断面積に等しく、余り大きな開口とならない。
【００３１】
そこで、本実施形態では、揺動方向規制部材１４を設けている。この揺動方向規制部材１４は、封止板４ｂの近傍位置、かつ、基準線Ｋに対して遠保持端部側に位置している。これにより、アーム揺動端部１２ｃが下降から上昇に転じると、刃先端部１３ｂは揺動方向規制部材１４に当接して、アーム１２の傾動方向に動けなくなる。この結果、図６に示すように、刃先端部１３ｂは揺動方向規制部材１４を乗り越えようとして、開封刃ピン１３ｃを揺動軸としてアーム１２の傾動方向と逆方向に揺動する。
【００３２】
刃先端部１３ｂの揺動により、刃先１３ｄは封止板４ｂを更に切り裂きながら抜け出る。即ち、封止板４ｂに突き刺さったときの吐出口が拡大される。その後、封止板４ｂから抜け出た刃先１３ｄは、吐出口から退避するように移動する。これにより、ガスを効率良く吐出させることができるようになる。
【００３３】
以上説明したように、アームを板金加工して形成し、このアームの動きに応動して開封刃が封止板を突き刺し、かつ、切り開くので、安価な構成で、単位時間当たりの吐出量を増大させることが可能になる。
【００３４】
以上、実施形態を参照して本願発明を説明したが、本願発明は上記実施形態に限定されものではなく、当業者が理解し得る様々な変更をすることができる。
【符号の説明】
【００３５】
２    ガスボンベ開封装置
４    ガスボンベ
４ａ    ガスボンベ口
４ｂ    封止板
７    筐体
７ａ    ベース
１１    ハウジング
１１ａ    ハウジング凹部
１１ｂ    ハウジング底部
１２    アーム
１２ａ    アームピン
１２ｂ    保持端部
１２ｃ    アーム揺動端部
１２ｄ    折曲部
１３    開封刃
１３ａ    刃揺動端部
１３ｂ    刃先端部
１３ｃ    開封刃ピン
１３ｄ    刃先
１４    揺動方向規制部材
１５    バネ
１６    保持部材
１７    切断器
【図１】
0006507613.tif 000002
【図２】
0006507613.tif 000003
【図３】
0006507613.tif 000004
【図４】
0006507613.tif 000005
【図５】
0006507613.tif 000006
【図６】
0006507613.tif 000007
【図７】
0006507613.tif 000008